【手続補正書】
【提出日】平成26年6月25日(2014.6.25)
【手続補正１】
【補正対象書類名】特許請求の範囲
【補正対象項目名】全文
【補正方法】変更
【補正の内容】
【特許請求の範囲】
【請求項１】
画像データに所定の画像処理内容の画像処理を施す画像処理実行手段と、
前記画像処理の施された画像データに基づいてページ毎に被画像形成媒体へ画像形成材を用いて画像形成する画像形成手段と、
前記画像データのページ毎に前記画像形成材の予測使用量を算出する使用量算出手段と、
前記予測使用量と適宜に設定される前記画像形成材の１ページ当たりの使用限度量とを比較する比較手段と、
前記予測使用量が前記使用限度量以上であると、前記画像データに対して前記画像処理実行手段で施す画像処理内容として、前記画像形成材の使用量を所定量削減する画像処理内容を選択して、該画像処理内容の画像処理を該画像処理実行手段が該画像データに施したときの予測使用量を前記使用量算出手段に算出させて、該画像処理後の該予測使用量と該使用限度量とを前記比較手段に比較させて得られた比較結果に基づいて、該画像データの濃度を低くすることで該画像形成材の使用量を削減する実行画像処理内容の画像処理を決定して、該実行画像処理内容の画像処理を前記画像処理実行手段に実行させる画像処理制御手段と、
を備えていることを特徴とする画像形成装置。
【請求項２】
前記画像処理制御手段は、前記比較結果に基づいて、該画像データの濃度を低くすることで該画像形成材の使用量を削減する該画像処理内容を選択する画像処理内容選択処理を、該予測使用量が該使用限度量未満となるまで順次繰り返し行って実行画像処理内容を決定して、該実行画像処理内容の画像処理を前記画像処理実行手段に実行させることを特徴とする請求項１記載の画像形成装置。
【請求項３】
前記画像形成装置は、
前記画像データ内のオブジェクトを判別するオブジェクト判別手段を備え、
前記画像処理制御手段は、前記オブジェクト判別手段の判別した前記オブジェクト毎に、前記オブジェクト毎に前記画像形成材の使用量の異なる複数種類の画像処理内容のうち該オブジェクト用の画像処理内容として設定されている画像処理内容から、前記画像形成材の使用量を削減する画像処理内容を選択することを特徴とする請求項１又は２記載の画像形成装置。
【請求項４】
前記画像処理制御手段は、前記オブジェクト判別手段の判別したオブジェクトがイメージオブジェクトまたはグラフィックオブジェクトを含む場合、前記イメージオブジェクトまたは前記グラフィックオブジェクトの高濃度部分の濃度を優先的に低くすることで該画像形成材の使用量を優先的に削減する実行画像処理内容の画像処理を決定して、該実行画像処理内容の画像処理を前記画像処理実行手段に実行させることを特徴とする請求項３記載の画像形成装置。
【請求項５】
前記画像処理制御手段は、前記オブジェクト判別手段の判別したオブジェクトが文字オブジェクトを含む場合、前記文字オブジェクトの中濃度部分の濃度を優先的に低くすることで該画像形成材の使用量を規定の段階まで優先的に削減する実行画像処理内容の画像処理を決定して、該実行画像処理内容の画像処理を前記画像処理実行手段に実行させた後、前記文字オブジェクトの高濃度部分の濃度を優先的に低くすることで該画像形成材の使用量を優先的に削減する実行画像処理内容の画像処理を決定して、該実行画像処理内容の画像処理を前記画像処理実行手段に実行させることを特徴とする請求項３記載の画像形成装置。
【請求項６】
前記画像処理制御手段は、前記オブジェクト判別手段の判別したオブジェクトがイメージオブジェクトまたはグラフィックオブジェクト及び文字オブジェクトを含む場合、前記画像処理内容選択処理として、
該イメージオブジェクトまたはグラフィックオブジェクトに対して、
前記使用量算出手段の算出した予測使用量に基づいて、前記オブジェクト毎に前記画像形成材の使用量の異なる複数種類の画像処理内容のうち該イメージオブジェクトまたはグラフィックオブジェクト用の画像処理内容として設定されている画像処理内容から、前記画像処理実行手段で施す画像処理内容として、前記画像形成材の使用量を所定量削減する画像処理内容を選択して、
該画像処理内容の画像処理を該画像処理実行手段が該画像データに施したときの予測使用量を前記使用量算出手段に算出させて、
該画像処理後の該予測使用量と該使用限度量とを前記比較手段に比較させて、
該比較結果に基づいて、該画像データの濃度を低くすることで該画像形成材の使用量を削減する該画像処理内容を選択する画像処理内容選択処理を順次繰り返し行って、
該予測使用量が該使用限度量よりも該画像形成材の使用量が多い所定の規制使用量に到達すると、
前記文字オブジェクトに対して、
前記使用量算出手段の算出した予測使用量に基づいて、前記オブジェクト毎に前記画像形成材の使用量の異なる複数種類の画像処理内容のうち該文字オブジェクト用の画像処理内容として設定されている画像処理内容から、前記画像処理実行手段で施す画像処理内容として、前記画像形成材の使用量を所定量削減する画像処理内容を選択して、
該画像処理内容の画像処理を該画像処理実行手段が該画像データに施したときの予測使用量を前記使用量算出手段に算出させて、
該画像処理後の該予測使用量と該使用限度量とを前記比較手段に比較させて、
該比較結果に基づいて、該画像データの濃度を低くすることで該画像形成材の使用量を削減する該画像処理内容を選択する画像処理内容選択処理を、該予測使用量が該使用限度量未満となるまで順次繰り返し行って前記実行画像処理内容を決定することを特徴とする請求項３記載の画像形成装置。
【請求項７】
画像データに所定の画像処理内容の画像処理を施すステップと、
前記画像処理の施された画像データに基づいてページ毎に被画像形成媒体へ画像形成材を用いて画像形成するステップと、
前記画像データのページ毎に前記画像形成材の予測使用量を算出するステップと、
前記予測使用量と適宜に設定される前記画像形成材の１ページ当たりの使用限度量とを比較するステップと、
前記予測使用量が前記使用限度量以上であると、前記画像データに対して前記画像処理実行手段で施す画像処理内容として、前記画像形成材の使用量を所定量削減する画像処理内容を選択して、該画像処理内容の画像処理を該画像処理実行手段が該画像データに施したときの予測使用量を前記使用量算出手段に算出させて、該画像処理後の該予測使用量と該使用限度量とを前記比較手段に比較させて得られた比較結果に基づいて、該画像データの濃度を低くすることで該画像形成材の使用量を削減する実行画像処理内容の画像処理を決定して、該実行画像処理内容の画像処理を前記画像処理実行手段に実行させるステップと、
を有することを特徴とする画像形成制御方法。
【請求項８】
コンピュータに、
画像データに所定の画像処理内容の画像処理を施す画像処理実行処理と、
前記画像処理の施された画像データに基づいてページ毎に被画像形成媒体へ画像形成材を用いて画像形成する画像形成処理と、
前記画像データのページ毎に前記画像形成材の予測使用量を算出する使用量算出処理と、
前記予測使用量と適宜に設定される前記画像形成材の１ページ当たりの使用限度量とを比較する比較処理と、
前記予測使用量が前記使用限度量以上であると、前記画像データに対して前記画像処理実行手段で施す画像処理内容として、前記画像形成材の使用量を所定量削減する画像処理内容を選択して、該画像処理内容の画像処理を該画像処理実行手段が該画像データに施したときの予測使用量を前記使用量算出手段に算出させて、該画像処理後の該予測使用量と該使用限度量とを前記比較手段に比較させて得られた比較結果に基づいて、該画像データの濃度を低くすることで該画像形成材の使用量を削減する実行画像処理内容の画像処理を決定して、該実行画像処理内容の画像処理を前記画像処理実行手段に実行させる画像処理制御処理と、
を実行させることを特徴とする画像形成制御プログラム。
【手続補正２】
【補正対象書類名】明細書
【補正対象項目名】０００６
【補正方法】変更
【補正の内容】
【０００６】
本発明の画像形成装置は、上記目的を達成するために、画像データに所定の画像処理内容の画像処理を施す画像処理実行手段と、前記画像処理の施された画像データに基づいてページ毎に被画像形成媒体へ画像形成材を用いて画像形成する画像形成手段と、前記画像データのページ毎に前記画像形成材の予測使用量を算出する使用量算出手段と、前記予測使用量と適宜に設定される前記画像形成材の１ページ当たりの使用限度量とを比較する比較手段と、前記予測使用量が前記使用限度量以上であると、前記画像データに対して前記画像処理実行手段で施す画像処理内容として、前記画像形成材の使用量を所定量削減する画像処理内容を選択して、該画像処理内容の画像処理を該画像処理実行手段が該画像データに施したときの予測使用量を前記使用量算出手段に算出させて、該画像処理後の該予測使用量と該使用限度量とを前記比較手段に比較させて得られた比較結果に基づいて、該画像データの濃度を低くすることで該画像形成材の使用量を削減する実行画像処理内容の画像処理を決定して、該実行画像処理内容の画像処理を前記画像処理実行手段に実行させる画像処理制御手段と、を備えていることを特徴としている。
【手続補正３】
【補正対象書類名】明細書
【補正対象項目名】０００７
【補正方法】変更
【補正の内容】
【０００７】
また、本発明の画像形成制御方法は、上記目的を達成するために、画像データに所定の画像処理内容の画像処理を施すステップと、前記画像処理の施された画像データに基づいてページ毎に被画像形成媒体へ画像形成材を用いて画像形成するステップと、前記画像データのページ毎に前記画像形成材の予測使用量を算出するステップと、前記予測使用量と適宜に設定される前記画像形成材の１ページ当たりの使用限度量とを比較するステップと、前記予測使用量が前記使用限度量以上であると、前記画像データに対して前記画像処理実行手段で施す画像処理内容として、前記画像形成材の使用量を所定量削減する画像処理内容を選択して、該画像処理内容の画像処理を該画像処理実行手段が該画像データに施したときの予測使用量を前記使用量算出手段に算出させて、該画像処理後の該予測使用量と該使用限度量とを前記比較手段に比較させて得られた比較結果に基づいて、該画像データの濃度を低くすることで該画像形成材の使用量を削減する実行画像処理内容の画像処理を決定して、該実行画像処理内容の画像処理を前記画像処理実行手段に実行させるステップと、を有することを特徴としている。
【手続補正４】
【補正対象書類名】明細書
【補正対象項目名】０００８
【補正方法】変更
【補正の内容】
【０００８】
さらに、本発明の画像形成制御プログラムは、上記目的を達成するために、コンピュータに、画像データに所定の画像処理内容の画像処理を施す画像処理実行処理と、前記画像処理の施された画像データに基づいてページ毎に被画像形成媒体へ画像形成材を用いて画像形成する画像形成処理と、前記画像データのページ毎に前記画像形成材の予測使用量を算出する使用量算出処理と、前記予測使用量と適宜に設定される前記画像形成材の１ページ当たりの使用限度量とを比較する比較処理と、前記予測使用量が前記使用限度量以上であると、前記画像データに対して前記画像処理実行手段で施す画像処理内容として、前記画像形成材の使用量を所定量削減する画像処理内容を選択して、該画像処理内容の画像処理を該画像処理実行手段が該画像データに施したときの予測使用量を前記使用量算出手段に算出させて、該画像処理後の該予測使用量と該使用限度量とを前記比較手段に比較させて得られた比較結果に基づいて、該画像データの濃度を低くすることで該画像形成材の使用量を削減する実行画像処理内容の画像処理を決定して、該実行画像処理内容の画像処理を前記画像処理実行手段に実行させる画像処理制御処理と、を実行させることを特徴としている。